(57)【要約】      （修正有）【課題】使い勝手を高めたパーソナル計算機を提供する。【解決手段】パーソナル計算器１０は、実行すべき計算オペレーションを入力するための複数のキー２０、２２、２４、２６を備えるキーパッド１４、表示画面１６、およびキーパッド１４と表示画面１６に接続された中央情報処理装置を備える。情報処理装置は、キーパッド１４を介して入力されたオペレーションの結果の画面１６への表示を制御するのに適している。これは、計算器の照明手段と操作者によって入力された計算オペレーションに従い区別される少なくとも２つの状態に基づき照明手段を制御するのに適している制御ユニットとを備える。【選択図】図１
2005135403.tif 000002
【特許請求の範囲】
【請求項１】
実行すべき計算オペレーションを入力するための複数のキー（２０、２２、２４、２６）を備えるキーパッド（１４）、表示画面（１６）、および前記キーパッド（１４）と前記表示画面（１６）とに接続され、前記キーパッド（１４）を介して入力されたオペレーションの前記結果の前記画面（１６）への前記表示を制御するのに適している中央情報処理装置（１８）を備え、前記計算器の照明手段（４０、４２、４４、４６、５０、５２）および前記操作者によって入力された前記計算オペレーションに従って区別される少なくとも２つの状態に基づいて前記照明手段を制御するのに適している制御ユニット（６０）を備えることを特徴とするパーソナル計算器（１０）。
【請求項２】
前記照明手段は、前記キーパッドの各キー（２０、２２、２４、２６）に関連付けられた光源（４０、４２、４４、４６）を備え、前記制御ユニット（６０）は、前記操作者によって入力された前記計算オペレーションに従って前記光源の選択的制御を行わせるのに適していることを特徴とする請求項１に記載の計算器。
【請求項３】
前記キーパッド（１４）は、数値キー（２０）および演算キー（２２）を備え、前記数値キー（２０）および前記演算キー（２２）に関連付けられている光源（４０、４２）は、それぞれ、異なる色であることを特徴とする請求項２に記載の計算器。
【請求項４】
前記制御ユニット（６０）は、キーが押下されたときに、前記押下されたキーに関連付けられている前記光源が所定の期間特定の照明モードに応じて点灯されるように適合されていることを特徴とする請求項２または３に記載の計算器。
【請求項５】
前記中央情報処理装置（１８）は、実行すべき計算に対する定義エラーを検出する手段を備え、前記制御手段（６０）は、前記キーパッドの少なくとも１つのキー（２０、２２、２４、２６）に関連付けられている少なくとも１つの光源（４０、４２、４４、４６）がそのようなエラーが検出されたときに必ず光るように構成されることを特徴とする請求項２から４のいずれか一項に記載のパーソナル計算器。
【請求項６】
前記照明手段は、２つの区別される状態に基づいて前記画面に光を当てるために画面（１６）に関連付けられている２つの光源（５０、５２）を備え、前記制御ユニット（６０）は、前記画面に表示される前記情報の特徴に応じてそれら２つの区別される状態のうちの１つに基づいて画面（１６）に必ず光が当たるように構成されたことを特徴とする請求項１から５までのいずれか一項に記載の計算器。
【請求項７】
前記制御ユニット（６０）は、前記画面（１６）に数値が表示されるときに、前記画面に表示された前記数値の前記符号に応じてそれら２つの区別される状態のうちの１つに基づいて前記画面に必ず光が当たるように構成されていることを特徴とする請求項６に記載のパーソナル計算器。
【請求項８】
前記２つの光源（５０、５２）は異なる色を持ち、前記画面は、前記同じ色の数値および記号を表示するように構成され、前記光源は、前記光源のうちの一方の光源または他方の光源の前記色の光を前記画面の前記背景に当てることができるように構成されることを特徴とする請求項６または７に記載のパーソナル計算器。
【発明の詳細な説明】
【技術分野】
【０００１】
本発明は、実行すべき計算オペレーションを入力するための複数のキーを備えるキーパッド、表示画面、およびキーパッドと表示画面に接続されキーパッドを介してオペレーション入力結果の画面への表示を制御するのに適している中央情報処理装置を備えるタイプのパーソナル計算器に関する。
【背景技術】
【０００２】
携帯型計算器または経理担当者によって使用される事務用計算器などのパーソナル計算器は、数値キー、演算キー、およびクリアキーやメモリキーなどのファンクションキーの組合せで構成されるキーパッドを備える。これらのキーはそれぞれ、キーを区別し、機能を識別する文字が刻印されている。計算器はさらに、キーパッドで入力された数値だけでなく計算器によって実行された計算オペレーションの結果もモノクロの文字で表示する表示画面を備える。
【０００３】
このタイプの計算器は全く申し分ない機能を備えているが、計算器の操作者は、作動させるキーと画面に表示される結果の解釈とに注意深くなければならない。計算器から、操作者にヘルプ情報はいっさい与えられない。
【発明の開示】
【発明が解決しようとする課題】
【０００４】
本発明の目的は、使い勝手を高めたパーソナル計算器を提供することである。
【課題を解決するための手段】
【０００５】
この目的に関して、本発明の主題は、計算器の照明手段と、操作者によって入力された計算オペレーションに従って区別される少なくとも２つの状態に応じて照明手段を制御するのに適している制御ユニットを備えることを特徴とする前述のタイプのパーソナル計算器である。
【発明を実施するための最良の形態】
【０００６】
特定のいくつかの実施形態では、計算器は、
−照明手段は、キーパッドの各キーに関連付けられた光源を備え、制御ユニットは、操作者によって入力された計算オペレーションに従って光源の選択的制御を確実に行うのに適しており、
−キーパッドは、数値キーおよび演算キーを備え、数値キーおよび演算キーに関連付けられている光源は、それぞれ、異なる色を割り当てられ、
−制御ユニットは、キーが押下されたときに、押下されたキーに関連付けられている光源が所定の期間特定の照明モードに応じて必ず点灯するように適合され、
−中央情報処理装置は、実行すべき計算に対する定義エラーを検出する手段を備え、制御手段は、キーパッドの少なくとも１つのキーに関連付けられている少なくとも１つの光源がそのようなエラーが検出されたときに必ず光を放つように適合され、
−照明手段は、２つの区別される状態に基づいて画面に光を当てるために画面に関連付けられている２つの光源を備え、制御ユニットは、画面に表示される情報の特徴に応じてそれら２つの区別される状態のうちの１つに基づいて画面に必ず光が当たるようにすることに適しており、
−制御ユニットは、画面に数値が表示されるときに、画面に表示されたその数値の符号に応じてそれら２つの区別される状態のうちの１つに基づいて画面に必ず光が当たるように適合され、
−これら２つの光源は異なる色を持ち、画面は、同じ色の数値および記号を表示するように適合され、光源は、一方の光源または他方の光源の色の光を画面の背景に当てることができるように適合される、という特徴のうちの１つまたは複数を備える。
【０００７】
本発明による計算器１０は、実質的に、前面にキーパッド１４および画面１６を配置したケーシング１２を備える。画面１６は、例えば、液晶画面である。キーパッドおよび画面は、図２に示されている中央情報処理装置１８に接続される。画面１６および中央情報処理装置１８は、電池１９から電力を供給される。
【０００８】
おのずと分かるであろうが、中央情報処理装置は、キーパッドから情報を受け取る手段を備え、キーパッドを介して入力された計算オペレーションに対応する計算を実行するように適合されている。中央情報処理装置１８は、さらに、キーパッドを介して入力された数値だけでなく、実行された計算の結果も表示するように画面１６を制御する手段を備える。
【０００９】
キーパッド１４は、０から９までの１０個の数字および小数点に対応する１１個の数値キー２０を備える。さらに、４つの演算キー＋、−、×、および÷ならびにキー＝に対応する５つのキー２２を備える。さらに、クリアキーおよびメモリキーなどのいくつかのファンクションキー２４の組合せも備える。最後に、パーセンテージキーなどの複雑な機能用のキー２６および数値の平方根を計算するファンクションキーを備える。
【００１０】
最後に、キーパッドは、計算器の電源をオンにする「ｏｎ」と記されたキー２８および計算器の電源をオフにする「ｏｆｆ」と記されたキー３０も備える。
本発明では、計算器は、操作者により入力された計算オペレーションに応じて区別される少なくとも２つの照明状態に基づいて計算器の照明を点灯する手段を備える。
【００１１】
これらの照明手段は、特に、キーパッドのそれぞれのキーに関連付けられた発光ダイオードを備える。
より具体的には、図２に例示されているように、多数の発光ダイオードがキーパッド１６の下にマトリックス状に配列され、それぞれのキーに１つのダイオードが関連付けられ、キーのすぐ後ろに配置される。
【００１２】
ダイオードにより出力された光が見えるようにするために、例えば、それぞれのキーは透明であり、この方法で関連付けられているダイオードにより背後から光を当てることができる。
【００１３】
一変更形態では、それぞれのキーは不透明であり、光が透過できる霜降りパターンのみを持つ。他の変更形態では、それぞれのキーは、ケーシング１２内に配置され、したがって下にある関連するダイオードにより対応するキーの周辺に光を当てることができる、透明フレームで囲まれている。
【００１４】
各種のキーに関連付けられているダイオードは、異なる色を持つのが好ましい。例えば、赤色発光ダイオード４０からなる第１群は、数値キー２０の下に配置される。青色発光ダイオード４２は演算キー４８の下に配置され、黄色発光ダイオード４４はファンクションキー２４の下に配置され、橙色発光ダイオード４６は複雑なファンクションキー２６の下に配置される。キー２８および３０は、さらに、図に示されていない発光ダイオードにより光が当てられる。
【００１５】
さらに、画面１６の背景を照らす２つの色の異なるダイオード５０、５２は、画面のすぐ近くに配置されている。例えば、ダイオード５０は緑色であるが、ダイオード５２は赤色である。
【００１６】
これらのダイオードは、画面１６が背後から必ず照らされるように配置される。
この計算器はさらに、ダイオード制御ユニット６０を備える。ユニット６０は、中央情報処理装置１８および計算器電源の電池１９に接続されている。このユニット６０では、各ダイオードを、個別に、または中央情報処理装置１８から受け取った情報によらないで、備えることができる。
【００１７】
この目的のために中央情報処理装置１８は情報伝送リンクを介して制御ユニット６０に接続されており、これにより、押されたばかりのキーパッドのキー、計算器によって実行されたオペレーションの結果、またはエラー状態を制御ユニットに伝達することができる。
【００１８】
制御ユニット６０は、各ダイオードが所定のアルゴリズムに従って、また中央情報処理装置からの情報に応じて、選択的に供給されるようにプログラムされる。
特に、ユニット６０は、操作者によって押さされた各キーに関連付けられた発光ダイオードの一時的点灯を引き起こすように適合されている。この照明は、例えば、１／２秒間続く。
【００１９】
このようにして、キーは、キーが押されたときに関連するダイオードの色で１／２秒間照明が点灯する。
さらに、制御ユニット６０では、緑色ダイオード５０または赤色ダイオード５２が画面１６に表示されている数値の符号に応じて点灯される。このようにして、数値が正であれば、つまり、０よりも大きければ、緑色ダイオードが点灯し、数値が緑色の背景で表示される。逆に、数値が負であれば、つまり、０よりも小さければ、赤色ダイオードが点灯し、数値が画面１６に赤色の背景で表示される。
【００２０】
さらに、制御ユニット６０を使用することで、計算エラーが情報処理装置１８により検出された場合に、キーパッドのキー全部が、所定の期間、例えば２秒間、一斉に光るようにできる。このために、ダイオード４２から４６はすべて点灯し、引き続いて、すぐに消灯する。
【００２１】
例えば、これは、画面上に表示されている数字が負のときに平方根計算キーが押される場合である。
計算器を複数の区別される照明状態に置くことができる照明手段を使用することで、操作者は自分が実行しているオペレーションのタイプを判別できることは理解されるであろう。操作者が数値キーまたは演算キーを押す毎に、キーの性質を表す色の光で押されたばかりのキーが照らされる。このようにして、操作者が押されたばかりのキーを正確に識別しなくても、一般的に潜在的エラーを十分に検出できるキーのタイプを判別できる。
【００２２】
同じようにして、オペレーションの結果の符号による色で画面を照らすと、画面に表示された正確な結果を意識しなくても、操作者は素早くこの結果の考え方を理解できる。こうして、計算器の異なる照明状態により、その使用を容易にすることができる。
【００２３】
一変更形態では、計算器のキーはすべて常時点灯であり、押されたばかりのキーだけが、一時的にひときわ明るく点灯する。この目的のために、制御ユニット６０では、押されたばかりのキーに関連付けられた発光ダイオードの端子に大きな電位差を生じさせる。
【００２４】
本発明は、プリンタ一体型であるか否かに関係なく、あらゆる種類の計算器に関する。これらの計算器は、ポケットに収まる小型のデバイス、または机上に置くことが意図されている大型のデバイスのいずれも可能である。
【図面の簡単な説明】
【００２５】
【図１】本発明によるパーソナル計算器の正面図である。
【図２】前面が取り外された、図１の計算器の正面図である。
【符号の説明】
【００２６】
１０  計算器
１２  ケーシング
１４  キーパッド
１６  画面
１８  中央情報処理装置
１９  電池
２０  数値キー
２２  キー
２４  ファンクションキー
２６、２８、３０  キー
４０  赤色発光ダイオード
４２  青色発光ダイオード
４４  黄色発光ダイオード
４６  橙色発光ダイオード
４８  演算キー
５２、５０  ダイオード
６０  ダイオード制御ユニット
【図１】
2005135403.tif 000003
【図２】
2005135403.tif 000004
【外国語明細書】
2005135403000001.pdf